【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  複数のアクセスチャンネルスロットを有するスロット化ランダムアクセス通信チャンネルを介して各々がアクセスメッセージを含んだ多元部分アクセスプローブを送信するシステムであって、
前記アクセスプローブの第１部分および第２部分をショート疑似ノイズシーケンスで変調する第１変調器と、
前記アクセスプローブの前記第２部分をロング疑似ノイズシーケンスで変調する第２変調器と、
前記第２部分を前記アクセスメッセージで変調するデータ変調器と、
前記第１部分が前記アクセスチャンネルスロットの１つに入るように前記アクセスプローブを送信するトランスミッタと、
により構成されるシステム。
【請求項２】  前記ショートＰＮシーケンスの長さは２８チップである請求項１のシステム。
【請求項３】  前記ロングＰＮシーケンスの長さは２４２チップである請求項１のシステム。
【請求項４】  前記ショートＰＮシーケンスは一対の直交ショート疑似ノイズシーケンスである請求項１のシステム。
【請求項５】  前記アクセスチャンネルスロットの各々は第１および第２ガードバンドを有し、前記送信手段は更に
前記第１部分が前記第１および第２ガードバンド間のアクセスチャンネルスロットの１つ内に入るように前記アクセスプローブを送信する手段で構成される請求項１のシステム。
【請求項６】  複数のアクセスチャンネルスロットを有するスロット化ランダムアクセス通信チャンネルを介して各々がショート擬似ノイズシーケンスで変調される第１部分と前記ショート疑似ノイズシーケンスとロング疑似ノイズシーケンスで変調される第２部分を有する多元部分アクセスプローブを受信するシステムであって、
前記アクセスブローブを復調するための複数の復調器と、
前記アクセスプローブを獲得し、逆拡散し、逆拡散アクセスプローブを前記複数の復調器の１つへ渡すための探索レシーバと、
によって構成されるシステム。
【請求項７】  スロット化ランダムアクセス通信はスロット化ＡＬＯＨＡチャンネルである請求項６のシステム。
【請求項８】  複数のアクセスチャンネルスロットを有するスロット化ランダムアクセス通信チャンネルを介して各々がアクセスメッセージを含んだ多元部分アクセスプローブを送信する方法であって、
前記アクセスプローブの第１部分および第２部分をショート疑似ノイズシーケンスで変調するステップと、
前記アクセスプローブの第２部分をロング疑似ノイズシーケンスで変調するステップと、
前記第２部分を前記アクセスメッセージで変調するステップと、
前記第１部分が前記アクセスチャンネルスロットの１つ内に入るように前記アクセスプローブを送信するステップと、
により成る方法。
【請求項９】  前記ショート疑似ノイズシーケンスの長さは２８チップである請求項８の方法。
【請求項１０】  前記ロング疑似ノイズシーケンスの長さは２４２チップである請求項８の方法。
【請求項１１】  前記ショート疑似シーケンスは一対の直交ショート疑似ノイズシーケンスである請求項８の方法。
【請求項１２】  前記アクセスチャンネルスロットの各々は第１および第２ガードバンドを有し、前記第１部分が前記第１および第２ガードバンド間の前記アクセスチャンネルスロットの１つ内に入るように前記アクセスプローブを送信するステップを更に含む請求項８の方法。
【請求項１３】  第１および第２ステージを有するプレアンブルおよびメッセージ部分を各々が有する複数のアクセス信号を少なくとも１つのアクセスチャンネルを介して送信する方法であって、
前記プレアンブルの前記第１ステージおよび第２ステージを第１信号によって変調するステップと、
前記プレアンブルの第２ステージを第２信号によっても変調するステップと、
前記メッセージを前記第１信号および前記第２信号によって変調するステップと、
前記プレアンブルが前記第１ステージの長さに実質的に対応する長さの複数の予め選択されたタイムスロットの１つ内に入るように、変調された前記アクセス信号を前記第１ステージ、変調された前記第２ステージおよび変調された前記メッセージの形態で送信するステップと、
によって成る方法。
【請求項１４】  第２ステージまたはメッセージ部分が１以上の他の送信アクセス信号の前記第１ステージに重なるように複数のアクセス信号が遅れなく送信される請求項１３の方法。
【請求項１５】  前記予め選択されたタイムスロットに対して境界を形成するガードバンドを更に構成する請求項１３の方法。
【請求項１６】  前記プレアンブルの変調された前記第１ステージは前記レシーバが前記第１信号のタイミングを得るのに十分な時間送信される請求項１３の方法。
【請求項１７】  前記プレアンブルの変調された前記第２ステージは前記レシーバが前記第２信号のタイミングを得るのに十分な時間送信される請求項１６の方法。
【請求項１８】  前記第１信号は一対の直交スプレッド疑似ノイズシーケンスである請求項１３の方法。
【請求項１９】  前記第２信号はチャンネル化疑似ノイズシーケンスである請求項１８の方法。
【請求項２０】  前記アクセス信号は前記プレアンブルに続くメッセージで構成され、前記メッセージは前記第１コードシーケンスおよび前記第２コードシーケンスによって変調される請求項１９の方法。
【請求項２１】  無線通信システムでアクセス信号を使用する方法であって、
第１信号によって変調されたデータを有する所定の第１長の第１ステージと、第２信号および前記第１信号によって変調されたデータを有する第２ステージとを有するプレアンブルとメッセージとを含んだアクセス信号を送信するステップと、
前記第１ステージと実質的に同じ長さの信号受信時間スロットへと分割されたアクセスチャンネルを介して前記アクセス信号を受信するステップと、
によって成る方法。
【請求項２２】  前記プレアンブルの前記第１ステージは無効データで構成される請求項２１の方法。
【請求項２３】  前記プレアンブルの前記第２ステージは無効データで構成される請求項２１のシステム。
【請求項２４】  前記第１信号および前記第２信号はＰＮシーケンスである請求項２１の方法。
【請求項２５】  無線通信システムでアクセス信号を使用する方法であって、
第１信号によって変調されたデータを有する所定の第１長の第１ステージと、第２信号および前記第１信号によって変調されたデータを有する第２ステージとを有するプレアンブルとメッセージとを含んだアクセス信号を送信するステップと、
前記第１ステージと実質的に同じ期間で相互に時間オフセットされた信号受信時間スロットへと分割された複数のアクセスチャンネルを介して前記アクセス信号を受信するステップと、
によって成る方法。
【請求項２６】  前記プレアンブルの前記第１ステージは無効データで構成される請求項２５の方法。
【請求項２７】  前記第１信号および前記第２信号はＰＮシーケンスである請求項２５の方法。
【請求項２８】  前記信号受信タイムスロットに境界を形成するガードバンドを更に含む請求項２５の方法。
【請求項２９】  第１ステージおよび第２ステージを有するプレアンブルを持つ送信をトランスミッタからレシーバで得る方法であって、
前記プレアンブルの第１信号によって変調された前記第１ステージ中に前記レシーバによって受信される前記送信に対して前記第１信号のタイミングオフセットを決定するために粗検索を行うステップと、
前記プレアンブルの前記第１信号および第２信号によって変調された前記第２ステージ中に前記レシーバによって受信される前記送信に対して前記第２信号のタイミングオフセットを前記第１信号および前記第１信号の前記タイミングオフセットを用いて決定するために密検索を行うステップと、
前記第１信号、前記第２信号、前記第１信号の前記タイミングオフセットおよび前記第２信号の前記タイミングオフセットを用いて前記送信を復調するステップと、
によってなる方法。